(57)【特許請求の範囲】
【請求項１】
検知対象者が装着する対象者情報送信装置であって、
自装置の位置を検出する位置検出部と、
前記位置検出部で検出した自装置の位置を用いて、前記検知対象者の位置が予め設定された設定経路または設定エリアから外れたか否かを判定する逸脱判定部と、
前記検知対象者の生体情報を検出する生体情報検出部と、
前記逸脱判定部で前記検知対象者の位置が前記設定経路または前記設定エリアから外れたと判定した場合に、前記検知対象者が前記設定経路または前記設定エリアから逸脱したことを表す逸脱情報と、前記生体情報検出部で検出した生体情報と、を含む対象者情報を、予め設定された対象者情報受信装置に送信する対象者情報送信部と、を備え、
前記逸脱判定部は、前記位置検出部で検出した自装置の位置が、前記設定経路または前記設定エリアから予め定められた設定距離以上離れたと判定した場合に、前記検知対象者の位置が前記設定経路または前記設定エリアから外れたと判定し、
前記検知対象者の位置が前記設定経路または前記設定エリア内にあると判定したときに、前記生体情報検出部で検出した生体情報を基準生体情報として記憶する基準生体情報記憶部と、
前記基準生体情報に対して、前記生体情報検出部で検出した現在の生体情報の乖離度合が大きいほど前記設定距離を小さくする設定距離設定部と、を備えることを特徴とする対象者情報送信装置。
【請求項２】
自装置の移動速度を検出する移動速度検出部を備え、
前記基準生体情報記憶部は、自装置の移動速度毎に前記基準生体情報を記憶し、
前記設定距離設定部は、前記基準生体情報記憶部に記憶されている前記基準生体情報のうち、前記移動速度検出部で検出した前記検知対象者の現在の移動速度に対応する前記基準生体情報に対して、前記生体情報検出部で検出した現在の生体情報の乖離度が大きいほど前記設定距離を小さくすることを特徴とする請求項１に記載の対象者情報送信装置。
【請求項３】
前記逸脱情報は、前記位置検出部で検出した自装置の位置を含むことを特徴とする請求項１または２に記載の対象者情報送信装置。
【請求項４】
前記対象者情報送信部は、前記逸脱判定部で前記検知対象者の位置が前記設定経路または前記設定エリアから外れたと判定し、且つ、前記生体情報検出部で検出した生体情報に異常があると判定した場合に、前記対象者情報を前記対象者情報受信装置に送信することを特徴とする請求項１から３のいずれか１項に記載の対象者情報送信装置。
【請求項５】
前記対象者情報送信部は、前記位置検出部で検出した自装置の位置が予め設定された報知エリア内にいると判定した場合には、前記生体情報に異常がないと判定した場合にも、前記対象者情報を前記対象者情報受信装置に送信することを特徴とする請求項４に記載の対象者情報送信装置。
【請求項６】
自装置の加速度を検出する加速度検出部を備え、
前記対象者情報送信部は、前記加速度検出部で検出した自装置の加速度が予め定められた設定加速度以上であると判定した場合に、前記生体情報に異常があると判定することを特徴とする請求項４または５に記載の対象者情報送信装置。
【請求項７】
検知対象者が装着する対象者情報送信装置と、対象者情報受信装置と、を備え、
前記対象者情報送信装置は、
検知対象者の位置を検出する位置検出部と、
前記位置検出部で検出した自装置の位置を用いて、前記検知対象者の位置が予め設定された設定経路または設定エリアから外れたか否かを判定する逸脱判定部と、
前記検知対象者の生体情報を検出する生体情報検出部と、
前記逸脱判定部で前記検知対象者の位置が前記設定経路または前記設定エリアから外れたと判定した場合に、前記検知対象者が前記設定経路または前記設定エリアから逸脱したことを表す逸脱情報と、前記生体情報検出部で検出した生体情報と、を含む対象者情報を、予め設定された対象者情報受信装置に送信する対象者情報送信部と、を備え、
前記対象者情報受信装置は、
前記対象者情報送信装置が送信した前記対象者情報を受信する対象者情報受信部と、
前記対象者情報受信部で受信した前記対象者情報を前記対象者情報受信装置のユーザに報知する対象者情報報知部と、を備え、
前記逸脱判定部は、前記位置検出部で検出した自装置の位置が、前記設定経路または前記設定エリアから予め定められた設定距離以上離れたと判定した場合に、前記検知対象者の位置が前記設定経路または前記設定エリアから外れたと判定し、
前記対象者情報送信装置は、更に、
前記検知対象者の位置が前記設定経路または前記設定エリア内にあると判定したときに、前記生体情報検出部で検出した生体情報を基準生体情報として記憶する基準生体情報記憶部と、
前記基準生体情報に対して、前記生体情報検出部で検出した現在の生体情報の乖離度合が大きいほど前記設定距離を小さくする設定距離設定部と、を備えることを特徴とする対象者情報提供システム。
【発明の詳細な説明】
【技術分野】
【０００１】
本発明は、対象者情報送信装置、及び対象者情報提供システムに関する。
【背景技術】
【０００２】
従来、対象者情報送信装置としては、例えば、特許文献１に記載の技術がある。
特許文献１に記載の技術では、検知対象者の位置が、予め設定された設定経路から外れたか否かを判定する。続いて、設定経路から外れたと判定した場合に、設定経路から逸脱したことを表す逸脱情報を、予め設定された対象者情報受信装置に送信する。これにより、対象者情報受信装置のユーザは、検知対象者が設定経路から外れたことを把握可能となっている。
【先行技術文献】
【特許文献】
【０００３】
【特許文献１】特開２００７−１６４４８６号公報
【発明の概要】
【発明が解決しようとする課題】
【０００４】
しかしながら、上記特許文献１に記載の技術では、設定経路から外れたと判定した場合に、設定経路から逸脱したことを表す逸脱情報を、予め設定された対象者情報受信装置に送信するようになっている。それゆえ、対象者情報受信装置のユーザは、検知対象者が設定経路から外れたことしか把握できず、検知対象者の状態をより適切に把握することが困難であった。
本発明は、上記のような点に着目し、検知対象者の状態をより適切に把握可能な対象者情報送信装置、及び対象者情報提供システムを提供することを課題とする。
【課題を解決するための手段】
【０００５】
上記課題を解決するため、本発明の一態様では、検知対象者の位置が予め設定された設定経路または設定エリアから外れたと判定した場合に、検知対象者が設定経路または設定エリアから逸脱したことを表す逸脱情報と、検知対象者の生体情報と、を含む対象者情報を、予め設定された対象者情報受信装置に送信することを特徴とする。
【発明の効果】
【０００６】
本発明の一態様によれば、例えば、検知対象者の位置が設定経路または設定エリアから外れた場合、検知対象者が設定経路または設定エリアから逸脱したことを表す逸脱情報と検知対象者の生体情報とを含む対象者情報を対象者情報受信装置に送信する。それゆえ、対象者情報受信装置のユーザは、検知対象者が設定経路または設定エリアから外れたことに加え、検知対象者の生体情報を把握できる。そのため、検知対象者の状態をより適切に把握できる。
【図面の簡単な説明】
【０００７】
【図１】本実施形態に係る対象者情報提供システム１の構成を表す断面図である。
【図２】対象者情報送信装置２の構成を表すブロック図である。
【図３】対象者情報受信装置３の構成を表すブロック図である。
【図４】対象者情報をディスプレイ１１に表示した状態を説明するための図である。
【図５】対象者情報送信装置２が実行する演算処理を表すフローチャートである。
【図６】対象者情報受信装置３が実行する演算処理を表すフローチャートである。
【図７】変形例に係る対象者情報送信装置２の構成を表すブロック図である。
【図８】変形例に係る対象者情報送信装置２の構成を表すブロック図である。
【図９】変形例に係る対象者情報送信装置２の構成を表すブロック図である。
【発明を実施するための形態】
【０００８】
次に、本発明に係る一実施形態について、図面を参照して説明する。
（構成）
図１に示すように、対象者情報提供システム１は、対象者情報送信装置２と、対象者情報受信装置３とを備える。対象者情報送信装置２と対象者情報受信装置３とは、携帯電話通信網４を介して、各種情報（例えば、後述する対象者情報）の送受信を行う。
なお、本実施形態では、携帯電話通信網４を介して各種情報の送受信を行う例を示したが、他の構成を採用することもできる。例えば、公衆無線ＬＡＮ（Local Area Network）等、その他の無線通信技術を介して各種情報の送受信を行う構成としてもよい。
【０００９】
（対象者情報送信装置２の構成）
対象者情報送信装置２は、検知対象者が装着する。検知対象者としては、例えば、児童、高齢者がある。本実施形態では、児童を検知対象者とする。図２に示すように、対象者情報送信装置２は、位置検出部５と、逸脱判定部６と、生体情報検出部７と、対象者情報送信部８とを備える。対象者情報送信装置２としては、例えば、携帯電話通信網４を介して、各種情報を送受信可能なリストバンド型の携帯電話機を採用できる。
【００１０】
位置検出部５は、対象者情報送信装置２の位置を検出する。位置検出部５としては、例えば、ＧＰＳ(Global Positioning System)衛星からＧＰＳ信号を受信し、受信したＧＰＳ信号を用いて対象者情報送信装置２の位置を検出するＧＰＳ受信器を採用できる。
逸脱判定部６は、位置検出部５で検出した対象者情報送信装置２の位置を用いて、検知対象者（児童）の位置が予め設定された設定経路（例えば、通学路）または設定エリア（例えば、通学路を含むエリア）から外れたか否かを判定する。具体的には、逸脱判定部６は、対象者情報送信装置２の位置が、設定経路（通学路）または設定エリア（通学路を含むエリア）から予め定められた設定距離α（例えば、１００ｍ）以上離れたか否かを判定する。そして、逸脱判定部６は、設定経路（通学路）または設定エリア（通学路を含むエリア）から設定距離α（１００ｍ）以上離れた場合に、検知対象者（児童）の位置が設定経路（通学路）または設定エリア（通学路を含むエリア）から外れたと判定する。
生体情報検出部７は、検知対象者（児童）の生体情報を検出する。検知対象者（児童）の生体情報としては、例えば、検知対象者（児童）の脈拍、体温、血圧、発汗量がある。そして、生体情報検出部７は、検出結果を対象者情報送信部８に出力する。
【００１１】
対象者情報送信部８は、逸脱判定部６で検知対象者（児童）の位置が設定経路（通学路）または設定エリア（通学路を含むエリア）から外れたと判定した場合に、検知対象者（児童）が設定経路（通学路）または設定エリア（通学路を含むエリア）から逸脱したことを表す逸脱情報と、生体情報検出部７で検出した生体情報と、を含む対象者情報を、予め設定された対象者情報受信装置３（以下、「設定受信装置３」とも呼ぶ）に送信する。対象者情報は、携帯電話通信網４を介して送信する。逸脱情報は、例えば、検知対象者（児童）が設定経路または設定エリアから逸脱したことを表すメッセージ（以下、「逸脱メッセージ」とも呼ぶ）、位置検出部５で検出した対象者情報送信装置２の位置を含む。
【００１２】
具体的には、対象者情報送信部８は、携帯電話通信網４を介して、対象者情報を電子メール形式で設定受信装置３のメールアドレスに送信する。これにより、設定受信装置３のユーザ（例えば、児童の保護者）は、対象者情報送信部８から送信された電子メールを閲覧することで、検知対象者（児童）が設定経路（通学路）または設定エリア（通学路を含むエリア）から外れたことに加え、検知対象者（児童）の生体情報（検知対象者（児童）の脈拍、体温及び発汗量の少なくともいずれかを含む）を把握することができる。
【００１３】
（対象者情報受信装置３）
対象者情報受信装置３は、対象者情報受信装置３のユーザ（児童の保護者）が携帯する。図３に示すように、対象者情報受信装置３は、対象者情報受信部９と、対象者情報報知部１０とを備える。対象者情報受信装置３としては、例えば、携帯電話通信網４を介して、各種情報の送受信が可能なスマートフォン（携帯電話機）を採用できる。スマートフォンは、各種情報（対象者情報）を表示可能なディスプレイ１１を備える。
【００１４】
対象者情報受信部９は、携帯電話通信網４を介して、対象者情報送信装置２が送信した対象者情報（逸脱情報（対象者情報送信装置２の位置を含む）、生体情報）を受信する。そして、対象者情報受信部９は、受信結果を対象者情報報知部１０に出力する。
対象者情報報知部１０は、対象者情報受信部９で受信した対象者情報を対象者情報受信装置３のユーザ（児童の保護者）に報知する。具体的には、対象者情報報知部１０は、図４に示すように、対象者情報（逸脱情報（対象者情報送信装置２の位置を含む）、生体情報）をディスプレイ１１に表示する。対象者情報送信装置２の位置は、対象者情報送信装置２の位置周辺の地図と、地図上の対象者情報送信装置２の位置とを重ねて表示する。
なお、本実施形態では、対象者情報をディスプレイ１１に表示する例を示したが、他の構成を採用することもできる。例えば対象者情報を音声で報知する構成としてもよい。
【００１５】
（演算処理）
次に、本実施形態の対象者情報送信装置２が実行する演算処理について説明する。この演算処理は、予め定めた設定時間（例えば、１０秒）が経過するたびに実行される。
図５に示すように、まずステップＳ１０１では、対象者情報送信装置２（位置検出部５）は、対象者情報送信装置２（自装置）の位置を検出する。
【００１６】
続いてステップＳ１０２に移行して、対象者情報送信装置２（逸脱判定部６）は、ステップＳ１０１で検出した対象者情報送信装置２の位置を用いて、検知対象者（児童）の位置が予め設定された設定経路（通学路）または設定エリア（通学路を含むエリア）から外れたか否かを判定する。そして、対象者情報送信装置２（逸脱判定部６）は、検知対象者（児童）の位置が設定経路（通学路）または設定エリア（通学路を含むエリア）から外れたと判定した場合（Ｙｅｓ）、ステップＳ１０３に移行する。一方、対象者情報送信装置２（逸脱判定部６）は、検知対象者（児童）の位置が設定経路または設定エリア（通学路を含むエリア）から外れていないと判定した場合（Ｎｏ）、この演算処理を終了する。
【００１７】
ステップＳ１０３では、対象者情報送信装置２（生体情報検出部７）は、検知対象者（児童）の生体情報（脈拍、体温及び発汗量の少なくともいずれかを含む）を検出する。
続いてステップＳ１０４に移行して、対象者情報送信装置２（対象者情報送信部８）は、検知対象者（児童）が設定経路（通学路）または設定エリア（通学路を含むエリア）から逸脱したことを表す逸脱情報（逸脱メッセージと、ステップＳ１０１で検出した対象者情報送信装置２（自装置）の位置とを含む）と、ステップＳ１０３で検出した対象者情報送信装置２（自装置）の生体情報と、を含む対象者情報を、設定受信装置３に送信した後、この演算処理を終了する。対象者情報は、携帯電話通信網４を介して送信する。
【００１８】
次に、本実施形態の対象者情報受信装置３が実行する演算処理について説明する。この演算処理は、対象者情報送信装置２から対象者情報が送信されるたびに実行される。
図６に示すように、まずステップＳ２０１では、対象者情報受信装置３（対象者情報受信部９）は、対象者情報送信装置２が送信した対象者情報を受信する。対象者情報の受信は、携帯電話通信網４を介して行う。
続いてステップＳ２０２に移行して、対象者情報受信装置３（対象者情報報知部１０）は、図４に示すように、ステップＳ２０１で受信した対象者情報をディスプレイ１１に表示した後、この演算処理を終了する。
【００１９】
（動作その他）
次に、本実施形態に係る対象者情報提供システム１の動作について説明する。
まず、検知対象者（児童）が、下校時に、予め設定された設定経路（通学路）または設定エリア（通学路を含むエリア）から外れたとする。すると、対象者情報送信装置２が、位置検出部５で検出された対象者情報送信装置２の位置を用いて、検知対象者（児童）の位置が設定経路（通学路）または設定エリア（通学路を含むエリア）から外れたと判定する（図５のステップＳ１０２「Ｙｅｓ」）。続いて、対象者情報送信装置２が、検知対象者（児童）の生体情報を検出する（図５のステップＳ１０３）。続いて、対象者情報送信装置２が、検知対象者（児童）が設定経路（通学路）または設定エリア（通学路を含むエリア）から逸脱したことを表す逸脱情報と、対象者情報送信装置２（自装置）の生体情報と、を含む対象者情報を、設定受信装置３に送信する（図５のステップＳ１０４）。
【００２０】
対象者情報送信装置２が対象者情報を送信すると、設定受信装置３が、携帯電話通信網４を介して、対象者情報を受信する（図６のステップＳ２０１）。続いて、設定受信装置３が、図４に示すように、対象者情報（逸脱情報（対象者情報送信装置２の位置を含む）、生体情報）をディスプレイ１１に表示する（図６のステップＳ２０２）。これにより、設定受信装置３（対象者情報報知部１０）は対象者情報（逸脱情報（対象者情報送信装置２の位置を含む）、生体情報）を設定受信装置３のユーザ（児童の保護者）に報知する。
【００２１】
このように、本実施形態によれば、検知対象者（児童）の位置が設定経路（通学路）または設定エリア（通学路を含むエリア）から外れたと判定した場合に、検知対象者（児童）が設定経路（通学路）または設定エリア（通学路を含むエリア）から逸脱したことを表す逸脱情報と、検知対象者（児童）の生体情報と、を含む対象者情報を、予め設定された対象者情報受信装置３（設定受信装置３）に送信する。それゆえ、設定受信装置３のユーザ（児童の保護者）は、検知対象者（児童）が設定経路（通学路）または設定エリア（通学路を含むエリア）から外れたことに加え、検知対象者（児童）の生体情報を把握できる。そのため、検知対象者（児童）の状態（例えば、安否）をより適切に把握できる。
また、対象者情報は、対象者情報送信装置２の位置を更に含む。それゆえ、設定受信装置３のユーザ（児童の保護者）は、検知対象者（児童）の位置も把握できる。そのため、検知対象者（児童）の状態をより適切に把握することができる。
【００２２】
（本実施形態の効果）
本実施形態は、次のような効果を奏する。
（１）本実施形態に係る対象者情報送信装置２は、検知対象者（児童）の位置が予め設定された設定経路（通学路）または設定エリア（通学路を含むエリア）から外れたと判定した場合に、検知対象者（児童）が設定経路（通学路）または設定エリア（通学路を含むエリア）から逸脱したことを表す逸脱情報と、検知対象者（児童）の生体情報と、を含む対象者情報を、予め設定された対象者情報受信装置３（設定受信装置３）に送信する。
【００２３】
このような構成によれば、例えば、検知対象者（児童）の位置が設定経路（通学路）または設定エリア（通学路を含むエリア）から外れた場合、検知対象者（児童）が設定経路（通学路）または設定エリア（通学路を含むエリア）から逸脱したことを表す逸脱情報と、検知対象者（児童）の生体情報と、を含む対象者情報を予め設定された対象者情報受信装置３（設定受信装置３）に送信する。それゆえ、設定受信装置３のユーザ（児童の保護者）は、検知対象者（児童）が設定経路（通学路）または設定エリア（通学路を含むエリア）から外れたことに加え、検知対象者（児童）の生体情報を把握できる。そのため、検知対象者（児童）の状態（例えば、安否）をより適切に把握できる。
【００２４】
（２）本実施形態に係る対象者情報送信装置２によれば、逸脱情報は、位置検出部５で検出した対象者情報送信装置２の位置を含む。
このような構成によれば、対象者情報受信装置３のユーザは、検知対象者（児童）の位置も把握できる。そのため、検知対象者（児童）の状態をより適切に把握できる。
【００２５】
（３）本実施形態に係る対象者情報提供システム１は、検知対象者（児童）の位置が予め設定された設定経路（通学路）または設定エリア（通学路を含むエリア）から外れたと判定した場合に、検知対象者（児童）が設定経路（通学路）または設定エリア（通学路を含むエリア）から逸脱したことを表す逸脱情報と、検知対象者（児童）の生体情報と、を含む対象者情報を、予め設定された対象者情報受信装置３（設定受信装置３）に送信する。
【００２６】
このような構成によれば、例えば、検知対象者（児童）の位置が設定経路（通学路）または設定エリア（通学路を含むエリア）から外れた場合、検知対象者（児童）が設定経路（通学路）または設定エリア（通学路を含むエリア）から逸脱したことを表す逸脱情報と、検知対象者（児童）の生体情報と、を含む対象者情報を予め設定された対象者情報受信装置３（設定受信装置３）に送信する。それゆえ、設定受信装置３のユーザ（児童の保護者）は、検知対象者（児童）が設定経路（通学路）または設定エリア（通学路を含むエリア）から外れたことに加え、検知対象者（児童）の生体情報を把握できる。そのため、検知対象者（児童）の状態（例えば、安否）をより適切に把握できる。
【００２７】
（変形例）
（１）なお、本実施形態では、対象者情報送信部８が、逸脱判定部６で検知対象者（児童）の位置が設定経路（通学路）または設定エリア（通学路を含むエリア）から外れたと判定した場合に、対象者情報を設定受信装置３に送信する例を示したが、他の構成を採用することもできる。例えば、対象者情報送信部８が、逸脱判定部６で検知対象者（児童）の位置が設定経路（通学路）または設定エリア（通学路を含むエリア）から外れたと判定し、且つ、生体情報検出部７で検出した検知対象者（児童）の生体情報に異常があると判定した場合に、対象者情報を設定受信装置３に送信する構成としてもよい。
【００２８】
具体的には、対象者情報送信部８は、検出対象者（児童）の脈拍が予め定めた第１設定値（例えば、５０回/分）以下、または第２設定値（＞第１設定値。例えば、１００回/分）以上であるか否かを判定し、第１設定値（５０回/分）以下または第２設定値（１００回/分）以上であると判定した場合に、検知対象者（児童）の生体情報に異常があると判定する。また、対象者情報送信部８は、検出対象者（児童）の体温が予め定めた第３設定値（例えば、３５度）以下、または第４設定値（＞第３設定値。例えば、３７度）以上であるか否かを判定し、第３設定値（３５度）以下または第４設定値（３７度）以上であると判定したい場合に、検知対象者（児童）の生体情報に異常があると判定する。
【００２９】
なお、第１設定値、第２設定値、第３設定値及び第４設定値は、対象者情報送信装置２の移動速度が大きいほど、大きい値とする構成としてもよい。対象者情報送信装置２の移動速度は、位置検出部５で検出した対象者情報送信装置２の位置から検出する。
この場合、対象者情報送信部８が、位置検出部５で検出した対象者情報送信装置２の位置が予め設定された報知エリア（例えば、学校で禁止されたエリア）内にいると判定した場合には、検知対象者（児童）の生体情報に異常がないと判定した場合にも、対象者情報を対象者情報受信装置３に送信する構成としてもよい。具体的には、対象者情報送信部８は、対象者情報送信部８が、逸脱判定部６で検知対象者（児童）の位置が設定経路（通学路）または設定エリア（通学路を含むエリア）から外れたと判定し、且つ、位置検出部５で検出した対象者情報送信装置２の位置が報知エリア（学校で禁止されたエリア）内にいると判定した場合に、対象者情報を設定受信装置３に送信する。これにより、検知対象者（児童）が報知エリア（学校で禁止されたエリア）に入った場合に、検知対象者（児童）の生体情報に関わらず、対象者情報を対象者情報受信装置３に送信することができる。
【００３０】
また、対象者情報送信部８が、対象者情報送信装置２の加速度が予め定められた設定加速度（例えば、５ｍ/ｓ2）以上であると判定した場合に、検知対象者（児童）の生体情報に異常があると判定する構成としてもよい。具体的には、対象者情報送信装置２は、図７に示すように、対象者情報送信装置２の加速度を検出する加速度検出部１２を更に備える。そして、対象者情報送信部８は、対象者情報送信部８が、逸脱判定部６で検知対象者（児童）の位置が設定経路（通学路）または設定エリア（通学路を含むエリア）から外れたと判定し、且つ、加速度検出部１２で検出した対象者情報送信装置２の加速度が設定加速度（５ｍ/ｓ2）以上であると判定した場合に、対象者情報を設定受信装置３に送信する。これにより、検知対象者（児童）が対象者情報送信装置２を装着した腕を激しく動かしている場合に、対象者情報を対象者情報受信装置３に送信することができる。
【００３１】
（２）また、本実施形態では、設定経路（通学路）または設定エリア（通学路を含むエリア）からの逸脱の判定用の設定距離αを固定値（１００ｍ）とする例を示したが、他の構成を採用することもできる。例えば、設定距離αを可変値とする構成としてもよい。
具体的には、対象者情報送信装置２は、図８に示すように、基準生体情報記憶部１３と、設定距離設定部１４とを更に備える。基準生体情報記憶部１３は、位置検出部５で検出した検知対象者（児童）の位置が設定経路（通学路）または設定エリア（通学路を含むエリア）内にあると判定したときに、生体情報検出部７で検出した生体情報を基準生体情報として記憶する。基準生体情報としては、例えば、生体情報検出部７で検出した生体情報を統計処理した値（例えば、平均値）を採用できる。また、設定距離設定部１４は、基準生体情報記憶部１３に記憶されている基準生体情報に対して、生体情報検出部７で検出した現在の生体情報の乖離度合が大きいほど設定距離αを小さくする。これにより、基準生体情報記憶部１３に記憶されている基準生体情報に対して、現在の生体情報の乖離度が大きい場合、対象者情報をより早いタイミングで対象者情報受信装置３に送信できる。
【００３２】
この場合、対象者情報送信装置２の移動速度を考慮する構成としてもよい。具体的には、対象者情報送信装置２は、図９に示すように、対象者情報送信装置２の移動速度を検出する移動速度検出部１５を更に備える。また、基準生体情報記憶部１３は、対象者情報送信装置２の移動速度毎に基準生体情報を記憶する。さらに、設定距離設定部１４は、基準生体情報記憶部１３に記憶されている生体情報のうち、移動速度検出部１５で検出した検知対象者（児童）の現在の移動速度に対応する基準生体情報に対して、生体情報検出部７で検出した現在の生体情報の乖離度が大きいほど設定距離αを小さくする。これにより、対象者情報をより適切なタイミングで対象者情報受信装置３に送信することができる。
【００３３】
また、生体情報の乖離度が大きいほど、対象者情報の報知方法をよりユーザの注意をひくものとする構成としてもよい。例えば、対象者情報をディスプレイ１１に表示する場合、生体情報の乖離度が大きいほどディスプレイ１１に表示する対象者情報の明度及び彩度の少なくともいずれかを大きくする構成としてもよい。また、例えば、対象者情報を音声で報知する場合、生体情報の乖離度が大きいほど音量を大きくする構成としてもよい。
【００３４】
（３）また、本実施形態では、対象者情報送信装置２から設定受信装置３の一方向にのみ情報を送信する構成としたが、他の構成を採用することもできる。例えば、設定受信装置３から対象者情報送信装置２にも情報を送信可能な構成としてもよい。例えば、検知対象者（児童）に対し設定経路（通学路）または設定エリア（通学路を含むエリア）に戻るように促す指示を電子メール形式で対象者情報送信装置２に送信する構成としてもよい。
【符号の説明】
【００３５】
１    対象者情報提供システム
２    対象者情報送信装置
３    対象者情報受信装置
４    携帯電話通信網
５    位置検出部
６    逸脱判定部
７    生体情報検出部
８    対象者情報送信部
９    対象者情報受信部
１０  対象者情報報知部
１１  ディスプレイ
１２  加速度検出部
１３  基準生体情報記憶部
１４  設定距離設定部
１５  移動速度検出部
【図１】
0006500412.tif 000002
【図２】
0006500412.tif 000003
【図３】
0006500412.tif 000004
【図４】
0006500412.tif 000005
【図５】
0006500412.tif 000006
【図６】
0006500412.tif 000007
【図７】
0006500412.tif 000008
【図８】
0006500412.tif 000009
【図９】
0006500412.tif 000010